(57)【要約】【課題】片手で簡単に装着できるコンドームを提供する。【解決手段】コンドーム本体１０の挿入口に陰茎１の先端を当ててリング３０を陰茎１の根本に向かって下ろすことにより、コンドーム本体１０の挿入口の反対側に配置された蓋部４０がコンドーム本体１０の先端に当たって止まり、コンドーム本体１０とともに巻き上げられたテープ２０が引き出され、コンドーム本体１０が陰茎１に被される。このとき、蓋部４０がコンドーム本体１０の先端に押し当てられ、精液溜まりの空気が押し出された状態となる。そのため、従来のコンドームのように、精液溜まりを指でつまむ必要がなく、片手で簡単にコンドームを装着できる。【選択図】図３
2010259601.tif 000002
【特許請求の範囲】
【請求項１】
コンドーム本体と、
前記コンドーム本体の外面に沿わせた状態で前記コンドーム本体と一体に巻き上げられた複数のテープと、
巻き上げられた前記コンドーム本体の陰茎挿入口の反対側に配置され、前記複数のテープの巻き残し部分の端が固着されており、前記コンドーム本体の装着時に前記コンドーム本体の先端と当接する蓋部と、
前記複数のテープを案内する複数の通路が形成され、前記コンドーム本体の装着時に陰茎を挿通させる孔を備えたテープ案内部と
を有するコンドーム。
【請求項２】
前記テープは、その両端を前記蓋部に固着された状態で前記コンドーム本体と一体に巻き上げられており、両端の巻き残し部分の一方が前記テープ案内部の前記通路に通されている、
請求項１に記載のコンドーム。
【請求項３】
前記テープ案内部はリング状の形態を有しており、
前記蓋部が
前記リング状の形態の内径より大きい、又は、
前記リング状の形態の内径より大きく外径より小さい、
請求項１又は２に記載のコンドーム。
【請求項４】
前記テープ案内部の前記通路は、両端の開口部の一方が前記リング状の形態の径方向に対して垂直な方向に開口し、他方が前記リング状の形態の中心に向かって開口する、
請求項３に記載のコンドーム。
【請求項５】
前記テープ案内部は、前記リング状の形態の中心に向かって傾斜する面を有し、
前記蓋部は、その外縁が前記テープ案内部の前記傾斜面に当接する、
請求項３に記載のコンドーム。
【請求項６】
前記テープ案内部は、前記リング状の形態の内縁において前記蓋部と嵌合する溝を有し、
前記通路は、前記溝の底部に開口部を有する、
請求項３に記載のコンドーム。
【請求項７】
前記通路は、前記リング状の形態の内側若しくは外側に向かって開いており、前記テープの出し入れが可能なスリットを有する、
請求項３乃至６の何れか一項に記載のコンドーム。
【請求項８】
前記スリットが、前記通路の端部に設けられている、
請求項７に記載のコンドーム。
【請求項９】
全ての前記通路における前記スリットの位置が、前記リング状の形態の中心から見て前記通路の右端又は左端の一方に統一されている、
請求項８に記載のコンドーム。
【請求項１０】
前記蓋部は、前記コンドーム本体と当接する面に対して反対側の面に凹凸部を有する、及び／又は、当該反対側の面に蛍光物質を含んだ領域を有する、
請求項１乃至９の何れか一項に記載のコンドーム。
【請求項１１】
未使用状態において、前記蓋部と前記テープ案内部とが分離可能に接着又は固定されている、
請求項１乃至１０の何れか一項に記載のコンドーム。
【発明の詳細な説明】
【技術分野】
【０００１】
本発明は、簡単に装着できるコンドームに関するものである。
【背景技術】
【０００２】
ＡＩＤＳ等の性病の予防にコンドームが効果的であることはよく知られているが、装着が面倒であるという理由から使用を敬遠する人が少なくない。特許文献１〜４には、簡単に装着できるコンドームについての技術が記載されている。
【先行技術文献】
【特許文献】
【０００３】
【特許文献１】特開平１０−１６５４４３号公報
【特許文献２】特開平１１−４８４４号公報
【特許文献３】特開平７−２２２７６３号公報
【特許文献４】登録実用新案第３０６０３２８号明細書
【発明の概要】
【発明が解決しようとする課題】
【０００４】
ところで、一般にコンドームの先端には精液を溜めるために膨らんだ部分（以下、「精液溜まり」と記す）が設けられている。この部分に空気が入った状態で使用すると精液が漏れてしまうことがある。そのため、コンドームを装着する場合は、まず精液溜まりを指でつまんで空気を押し出し、その中に空気が入らないように注意して指でつみながらコンドームの挿入口を陰茎の先端にあて、巻かれた状態のコンドームを陰茎の根元に向かって下ろすのが一般的な手順となっている。特許文献１〜４に記載されるコンドームは、例えば、コンドームと一緒に巻き上げたテープを使用時に引っ張るなどの方法によって装着を容易にしているものの、精液溜まりから空気を抜くことが考慮されていない。従って、これらの従来のコンドームは、実際には両手を使って装着を行う必要がある点で普通のコンドームと変わらず、片手で簡単に装着できるものではない。
【０００５】
本発明はかかる事情に鑑みてなされたものであり、その目的は、片手で簡単に装着できるコンドームを提供することにある。
【課題を解決するための手段】
【０００６】
本発明に係るコンドームは、コンドーム本体と、前記コンドーム本体の外面に沿わせた状態で前記コンドーム本体と一体に巻き上げられた複数のテープと、巻き上げられた前記コンドーム本体の陰茎挿入口の反対側に配置され、前記複数のテープの巻き残し部分の端が固着されており、前記コンドーム本体の装着時に前記コンドーム本体の先端と当接する蓋部と、前記複数のテープを案内する複数の通路が形成され、前記コンドーム本体の装着時に陰茎を挿通させる孔を備えたテープ案内部とを有する。
【０００７】
好適に、前記テープは、その両端を前記蓋部に固着された状態で前記コンドーム本体と一体に巻き上げられており、両端の巻き残し部分の一方が前記テープ案内部の前記通路に通されている。
【０００８】
好適に、前記テープ案内部はリング状の形態を有しており、前記蓋部が前記リング状の形態の内径より大きい、又は、前記リング状の形態の内径より大きく外径より小さい。
【０００９】
好適に、前記テープ案内部の前記通路は、両端の開口部の一方が前記リング状の形態の径方向に対して垂直な方向に開口し、他方が前記リング状の形態の中心に向かって開口する。
【００１０】
好適に、前記テープ案内部は、前記リング状の形態の中心に向かって傾斜する面を有し、前記蓋部は、その外縁が前記テープ案内部の前記傾斜面に当接する。
【００１１】
好適に、前記テープ案内部は、前記リング状の形態の内縁において前記蓋部と嵌合する溝を有し、前記通路は、前記溝の底部に開口部を有する。
【００１２】
好適に、前記通路は、前記リング状の形態の内側若しくは外側に向かって開いており、前記テープの出し入れが可能なスリットを有する。
好適に、前記スリットが、前記通路の端部に設けられている。
好適に、全ての前記通路における前記スリットの位置が、前記リング状の形態の中心から見て前記通路の右端又は左端の一方に統一されている。
【００１３】
好適に、前記蓋部は、前記コンドーム本体と当接する面に対して反対側の面に凹凸部を有する、及び／又は、当該反対側の面に蛍光物質を含んだ領域を有する。
【００１４】
好適に、未使用状態において、前記蓋部と前記テープ案内部とが分離可能に接着又は固定されている。
【発明の効果】
【００１５】
本発明によれば、精液溜まりから空気を押し出すために指を使う必要がなく、片手で簡単に装着できる。
【図面の簡単な説明】
【００１６】
【図１】第１の実施形態に係る未使用状態のコンドームを陰茎挿入口の反対方向から見た平面図の一例を示す図である。
【図２】図１に示す未使用状態のコンドームを鎖線Ａ−Ｂ−Ｃに沿って切断したときの断面を例示する図である。
【図３】図１に示す未使用状態のコンドームにおいて僅かにテープを引き出したときの斜視図を例示する図である。
【図４】コンドーム本体の外面にテープを沿わせた状態を例示する図である。
【図５】図４の状態からテープをコンドーム本体と一体に巻き上げた状態を例示する図である。
【図６】リングの断面と、テープを案内する通路の一例を示す図である。
【図７】コンドームの装着方法を説明するための図である。
【図８】コンドーム装着後の状態を説明するための図である。
【図９】第２の実施形態に係るコンドームにおけるリング、テープ及び蓋部を例示する図である。
【図１０】リングの断面が三角形の場合の例を示す図である。
【図１１】リングに設けた溝に蓋部を嵌合させる場合の例を示す第１の図であり、未使用状態のコンドームを陰茎挿入口の反対方向から見た平面図の一例を示す。
【図１２】リングに設けた溝に蓋部を嵌合させる場合の例を示す第２の図であり、図１１に示す未使用状態のコンドームを鎖線Ａ−Ｂ−Ｃに沿って切断したときの断面を例示する。
【図１３】テープの出し入れを可能にするためのスリットが設けられたリングの通路の例を示す第１の図である。
【図１４】テープの出し入れを可能にするためのスリットが設けられたリングの通路の例を示す第２の図である。
【発明を実施するための形態】
【００１７】
＜第１の実施形態＞
図１〜図８を参照して、本発明の第１の実施形態に係るコンドームを説明する。
図１は、本発明の実施形態に係る未使用状態のコンドームを陰茎挿入口の反対方向から見た平面図の一例を示す図である。
図２は、図１に示す未使用状態のコンドームを鎖線Ａ−Ｂ−Ｃに沿って切断したときの断面を例示する図である。
図３は、図１に示す未使用状態のコンドームにおいて僅かにテープ２０を引き出したときの斜視図を例示する図である。
図４は、コンドーム本体１０の外面にテープ２０を沿わせた状態を例示する図である。
図５は、図４の状態からテープ２０をコンドーム本体１０と一体に巻き上げた状態を例示する図である。
図６は、リング３０の断面と、テープ２０を案内する通路の一例を示す図である。
図７は、コンドームの装着方法を説明するための図である。
図８は、コンドーム装着後の状態を説明するための図である。
図１〜図８に示すコンドームは、コンドーム本体１０と、３本のテープ２０と、リング３０（テープ案内部）と、蓋部４０とを有する。
【００１８】
コンドーム本体１０は、図４に示すように、ゴム等の弾性に富んだ薄い材質を筒状の袋に形成したものであり、先端の部分に精液溜まりが設けられている。
【００１９】
テープ２０は、帯状に加工された薄いフィルムであり、コンドーム本体１０の外面に沿わせた状態で（図４）、陰茎の挿入口の縁から先端に向かってコンドーム本体１０と一体に巻き上げられる（図５）。
テープ２０は、装着完了後に不要となるため、コンドーム本体１０を陰茎の根本まで下ろした場合に余らない程度の長さとするのが望ましい。
【００２０】
蓋部４０は、巻き上げられたコンドーム本体１０の陰茎挿入口の反対側に配置されており（図１，図２）、テープ２０の巻き残し部分の端が固着されている。コンドーム本体１０に陰茎を挿入したとき、蓋部４０がコンドーム本体１０の先端と当接して精液溜まりの空気を抜く。
【００２１】
蓋部４０は、例えば図１に示すように、リング３０の中心から径方向へ対称に延びた３つの帯状の板部を有しており、テープ２０の巻き残し部分の端が各板部の先端部分に固着される（図３）。
【００２２】
蓋部４０は、リング３０の内径より大きく外径より小さい。未使用時において、蓋部４０の３つの板部がリング３０に当接する（図２）。装着時に蓋部４０の側から陰茎を挿入しようとしても蓋部４０がリング３０に当たって進まないため、コンドーム本体１０への誤った挿入が防止される。また、コンドーム本体１０の装着後に不要となったリング３０を取り外す際、リング３０が蓋部４０に引っ掛かるため、リング３０と蓋部４０を同時に取り外せる（図８）。
【００２３】
蓋部４０は、例えば、適度な弾性を有する樹脂等の材料を用いて形成される。装着の際、蓋部４０はコンドーム本体１０の先端と当たって変形した状態となる（図７）。コンドーム本体１０が陰茎の根本付近まで下ろされたとき、蓋部４０は弾性力により元の状態に戻り、これに応じてテープ１０をコンドーム本体１０から引き離す。
【００２４】
リング３０は、テープ２０を案内する３つの通路を有する（図３）。巻き上げられた状態のコンドーム本体１０から出ているテープ２０の巻き残し部分（図５）が、リング３０の通路を介して蓋部４０に固着されている。
【００２５】
リング３０は、例えば図６に示すように断面が丸形であり、テープ２０を案内するＬ字状の通路３１が形成されている。通路３１の一方の開口部Ｈ１がリング２０の径方向に対して垂直な方向に開口し、他方の開口部Ｈ２がリング２０の中心に向かって開口している。このようなＬ字状の通路３１により、蓋部２０に固着されたテープ２０が通路３１においてリング２０の内側に曲がり、コンドーム本体２０の縁へ案内される（図２）。
【００２６】
ここで、上述した構成を有するコンドームの使用方法を説明する。
【００２７】
未使用状態において、コンドーム本体１０は、例えば図１、図２に示すように巻き上げられた平らな状態で図示しない包装袋に収められている。蓋部２０の板部の先端がリング３０に当接し、コンドーム本体１０が蓋部４０と密着している。このとき、コンドーム本体１０の先端の精液溜まりが蓋部４０に密着しているため、精液溜まりの空気がほぼ抜かれた状態となっている。
【００２８】
使用者は、図１，図２に示すように平らになっているコンドームを包装から取り出し、リング３０の外縁を持ち、コンドーム本体１０の挿入口に陰茎の先端を当て、リング３０を陰茎１の根本に向かって下ろす。そうすると、コンドーム本体１０の陰茎挿入口の反対側に配置された蓋部４０の中央がコンドーム本体１０を被った陰茎１の先端に当たるとともに、蓋部４０の板部の先端がテープ２０により下へ引っ張られる。そのため、蓋部４０は図７に示すように変形する（図７）。
【００２９】
使用者がリング３０を更に下ろすと、蓋部４０がコンドーム本体１０の先端に押し当てられて止まっているため、リング３０が蓋部４０から離れていき、巻き上げられたテープ２０がコンドーム本体１０から引き出されていく。テープ２０がコンドーム本体２０から引き出されていくことにより、コンドーム本体１０が末端に向かって伸ばされていき、これに応じてコンドーム本体１０が陰茎１に被されていく。テープ２０の末端付近までコンドーム本体１０が伸ばされると、蓋部４０が変形状態（図７）から元の状態へ戻り、その弾性力によりテープ２０が引っ張られてコンドーム本体１０から分離される（図８）。使用者は、陰茎１にコンドーム本体１０が被された後、リング３０と蓋部４０を取り外す。
【００３０】
以上説明したように、本実施形態に係るコンドームによれば、コンドーム本体１０の挿入口に陰茎１の先端を当ててリング３０を陰茎１の根本に向かって下ろすことにより、コンドーム本体１０の挿入口の反対側に配置された蓋部４０がコンドーム本体１０の先端に当たって止まり、コンドーム本体１０とともに巻き上げられたテープ２０が引き出され、コンドーム本体１０が陰茎１に被される。このとき、蓋部４０がコンドーム本体１０の先端に押し当てられ、精液溜まりの空気が押し出された状態となる。そのため、従来のコンドームのように、精液溜まりを指でつまむ必要がなく、片手で簡単にコンドームを装着できる。
本実施形態に係るコンドームでは、精液溜まりを指でつまんで空気が入らないように注意しながら陰茎の先端にコンドームを当てるといった従来の面倒な作業が不要になり、コンドームの装着が非常に簡単になる。そのため、従来、コンドームの装着が面倒なため使用を敬遠していた人たちの間でもコンドームの使用頻度を高めることができ、性病の予防に貢献できる。
また、本実施形態に係るコンドームは片手で容易に装着できることから、例えば手に障害がある人や細かい作業が苦手な人でも容易に使用できるという利点がある。
加えて、コンドーム本体１０に直接触れることなく装着できることから、爪などでコンドーム本体１０を傷付けてしまうことを防止でき、しかも、手の細菌等がコンドーム本体１０に付着することがないため衛生的である。また、一般に、コンドームの表面には潤滑剤が塗布されており、直接触ると潤滑剤によって手指がベトベトになってしまうが、本実施形態に係るコンドームでは直接触れずに装着を行うことができるので、そのような問題が生じず快適に使用できるという利点もある。
【００３１】
また、本実施形態に係るコンドームによれば、蓋部４０がリング３０の内径より大きいため、コンドーム本体１０の挿入口の反対側から誤って陰茎を挿入することを防止できる。しかも、コンドーム本体１０の装着後にリング３０を陰茎から外す際、蓋部４０がリング３０に引っ掛かるので、リング３０と蓋部４０を簡単に取り外すことができる。
【００３２】
また、本実施形態に係るコンドームによれば、蓋部４０がリング３０の外径より小さいため、リング３０の外縁を手で掴みやすくなり、コンドームの装着がより簡単になる。
【００３３】
また、本実施形態に係るコンドームによれば、通路３１の一方の開口部Ｈ１がリング２０の径方向に対して垂直な方向に開口し、他方の開口部Ｈ２がリング２０の中心に向かって開口していることから、未使用時における蓋部４０とコンドーム本体１０との隙間を狭めることができ、コンドーム本体１０の精液溜まりに空気を入り込み難くすることができる。
【００３４】
また、本実施形態に係るコンドームによれば、弾性を有した蓋部４０がコンドーム本体１０の先端に当たって変形し、精液溜まりに広い面積で押し当てられることから（図７）、精液溜まりへの空気の流入をより効果的に防止できる。しかも、装着時に蓋部４０がコンドーム本体１０の先端に当たって変形し、この変形した蓋部４０が元の状態へ戻ろうとする弾性力によりテープ２０が引っ張られてコンドーム本体１０から分離されるので、テープ２０がコンドーム本体１０に巻かれた状態で残ることを防止できる。
【００３５】
＜第２の実施形態＞
次に、本発明の第２の実施形態について説明する。
上述した第１の実施形態に係るコンドームではテープ２０の一方の端のみが蓋部４０に固着されているのに対し、第２の実施形態に係るコンドームではテープ２０の両方の端が蓋部４０に固着されており、リング３０の通路に挿通されたテープ２０がリング３０から分離されない状態となっている。
【００３６】
図９は、本実施形態に係るコンドームにおけるリング３０、テープ２０及び蓋部４０を例示する図である。本実施形態において、蓋部４０における３つの板部にはテープ２０の両端がそれぞれ固着されている。テープ２０は、ほぼ中心部においてＶ字状に折れ曲がっている。１本のテープ２０は、例えば図９に示すように２つに折られた状態でコンドーム本体１０と一体に巻き上げられる。
コンドーム本体１０が巻き上げられた状態において、１本のテープ２０につき２本の巻き残し部分が生じるが、そのうちの一方の巻き残し部分がリング３０の通路を介して蓋部４０に固着され、他方の巻き残し部分が蓋部４０に直接固着される。これにより、リング３０の通路に挿通されたテープ２０がリング３０から分離されない状態となる。
【００３７】
本実施形態に係るコンドームによれば、コンドーム本体１０の装着後にテープ２０がリング３０から分離しないため、リング３０、テープ２０及び蓋部４０を一体的に取り外すことができる。また、リング３０とテープ２０及び蓋部４０とがバラバラにならないため、これらを簡単に片付けることができる。
【００３８】
以上、本発明の幾つかの実施形態について説明したが、本発明は上述した実施形態のみに限定されるものではなく、例えば以下に述べるような種々のバリエーションを含んでいる。
【００３９】
上述の実施形態ではリング３０の断面を円形にした例を挙げているが、本発明はこれに限定されない。すなわち、リング３０の断面を楕円形や三角形、扇形、長方形など任意の形状にしてよい。
【００４０】
また、リング３０の断面は、コンドーム本体１０と蓋部４０との隙間がより狭くなるような形状とすることが望ましい。この隙間を狭くすることによって、コンドーム本体１０の先端の精液溜まりに空気を入り難くすることができる。
【００４１】
図１０は、リング３０の断面が三角形の場合の例を示す図である。
図１０の例において、三角形の辺の部分に対応する斜面がリング３０の中心に向かって傾斜しており、この斜面に蓋部４０の外縁（板部の先端）が当接する。蓋部４０と斜面との接触位置が下（リング３０の内側）になるほど、蓋部４０とコンドーム本体１０との隙間が狭くなる。
【００４２】
なお、図１０に示すようにリング３０の内縁に傾斜した斜面が設けられている場合、蓋部４０の外縁にも斜面を設けてよい。リング３０の内縁と蓋部４０の外縁とを互いの斜面同士で接触させ、蓋部４０をリング３０の内側に深くめり込んだ状態にすることで、蓋部４０とコンドーム本体１０との隙間をより狭めることができる。また、リング３０と蓋部４０とを互いの斜面で安定に接触させることで、径方向への位置ずれを効果的に抑制できる。
【００４３】
更に、断面３０の頂点部分に丸みを持たせたせるようにすれば、コンドーム本体１０とリング３０とが接触した場合に、その接触部分に過度な圧力や摩擦力が生じ難くなる。
【００４４】
また、本発明の他の実施例として、例えば図１１、図１２に示すように、リング３０の内縁に蓋部４０と嵌合する溝を設けてもよい。
図１１は、未使用状態のコンドームを陰茎挿入口の反対方向から見た平面図の一例を示し、図１２は図１１に示す未使用状態のコンドームを鎖線Ａ−Ｂ−Ｃに沿って切断したときの断面を例示する。
図１２に示すように、リング３０の内縁に溝３２が設けられており、この溝３２に蓋部４０の板部の先端が嵌合する。溝３２の底部には、テープ２０を案内するための通路の開口部が設けられている。図１１，図１２に示すような構造でも、蓋部４０をリング３０の内側に深くめり込んだ状態にすることが可能であり、蓋部４０とコンドーム本体１０との隙間を狭くすることができる。また、蓋部４０とリング３０との位置ずれをより効果的に抑制できる。
【００４５】
また、上述した実施形態では、テープ２０を案内するために設けられているリング３０の通路３１が両端の開口部を除いて閉じているが、本発明はこれに限定されない。すなわち、本発明の他の実施例として、例えば図１３に示すように、リング３０の内側に向かって開いたスリットＳ１を有するように通路３１を形成してもよい。このスリットＳ１においてテープ２０を出し入れできるため、例えばテープ２０をコンドーム本体１０と一体に巻き上げて蓋部４０に固着した後からでも、通路３１にテープ２０を通すことが可能になり、製造工程を簡易化できる。
なお、図１３の例ではリング３０の内側に向かってスリットが開いているが、リング３０の外側に向かってスリットが開くようにしてもよい。
【００４６】
また、スリットの位置は任意であり、例えば図１３に示すように通路３１の中央部分でもよいし、図１４に示すように通路３１の端の部分でもよい。スリットＳ１を通路３１の端の部分に設ければ、帯状のテープ２０を曲げたり折ったりすることなく通路３１に通すことができるため、製造工程を更に簡易化できる。
この場合、リング３０に形成される全ての通路３１について、リング３０の中心から見たスリットＳ１の位置を通路３１の右端若しくは左端のどちらか一方に統一してよい。スリットＳ１の位置を全ての通路３１について統一させることにより、リング３０を一方向へ回転させるようにして全ての通路３１にテープ２０を通すことが可能なるため、製造工程をより簡易化できる。
【００４７】
また、一般にコンドームは暗所で使用されることから、手の感覚だけで間違いなく装着できるようにすることが望ましい。本実施形態に係るコンドームでは、コンドーム本体１０の挿入口の反対側が蓋部４０で閉鎖されていることにより誤った挿入が防止されているが、更に凹凸や着色を蓋部４０に施すことで表と裏（陰茎の挿入口の側とその反対側）の区別を把握し易くすることができる。
すなわち、蓋部４０のコンドーム本体１０と当接する面（内面）に対して反対側の面（外面）に、指で触れて分かる程度の凹凸を設けることにより、手の感覚だけで表と裏を把握できる。これにより、暗所でも簡単に表と裏を識別できるとともに、目の不自由な人も使用し易くなる。
また、蓋部４０以外に、例えばリング３０の表側（蓋部４０と当接する側）に凹凸を設けても良い。この場合も、上記と同様の効果を奏することができる。
更に、蓋部４０の外面に蛍光物質を含む領域を設ければ、暗い所でも裏と表を目で容易に区別することができる。
【００４８】
また、本発明の他の実施例では、未使用状態において蓋部４０とリング３０とが分離可能に接着又は固定されるようにしてもよい。
例えば、接着力の比較的弱い接着材によって蓋部４０とリング３０との接触部を接着し、使用の際この接着箇所を容易に分離できるようにしてもよい。
あるいは、蓋部４０とリング３０の一方若しくは両方に爪や突起などを設けて、一方が他方を挟んで固定するように形成し、蓋部４０（若しくはリング３０）の弾力性によってこの固定を簡単に外せるようにしてもよい。
これにより、未使用状態においてリング３０から蓋部４０が離れて動くことによりテープ２０がコンドーム本体１０から外れてしまうことを防止できる。
【００４９】
図６の例ではテープ２０の通路３１をＬ字状に曲げているが、例えば図１０に示すように、加工が容易な直線状に形成してもよい。
【００５０】
図１，図１１の例では蓋部４０がリング３０の外径より小さいが、蓋部４０をリング３０の外径より大きくしてもよい。
【００５１】
上述の実施形態ではテープ３０を３本設けているが、この本数は任意であり、２本以下でも４本以上でもよい。
【００５２】
上述の実施形態ではテープ案内部がリング状の形態をしているが（リング３０）、本発明はこれに限定されない。すなわち、テープ２０を案内するための通路と、装着時に陰茎を挿入する孔を有する構造であれば、テープ案内部の形状は任意でよい。
【符号の説明】
【００５３】
１０…コンドーム本体、２０…テープ、３０…リング、３１…通路、３２…溝、４０…蓋部。
【図１】
2010259601.tif 000003
【図２】
2010259601.tif 000004
【図３】
2010259601.tif 000005
【図４】
2010259601.tif 000006
【図５】
2010259601.tif 000007
【図６】
2010259601.tif 000008
【図７】
2010259601.tif 000009
【図８】
2010259601.tif 000010
【図９】
2010259601.tif 000011
【図１０】
2010259601.tif 000012
【図１１】
2010259601.tif 000013
【図１２】
2010259601.tif 000014
【図１３】
2010259601.tif 000015
【図１４】
2010259601.tif 000016
【手続補正書】
【提出日】平成22年1月25日(2010.1.25)
【手続補正１】
【補正対象書類名】特許請求の範囲
【補正対象項目名】全文
【補正方法】変更
【補正の内容】
【特許請求の範囲】
【請求項１】
コンドーム本体（１０）と、
前記コンドーム本体（１０）の外面に沿わせた状態で前記コンドーム本体（１０）と一体に巻き上げられた複数のテープ（２０）と、
巻き上げられた前記コンドーム本体（１０）の陰茎挿入口の反対側において前記コンドーム本体（１０）の先端と密着する面を有し、前記複数のテープ（２０）の巻き残し部分の端が固着された蓋部（４０）と、
巻き上げられた前記コンドーム本体（１０）の陰茎挿入口へ陰茎を挿入する時に当該陰茎が挿通される中心部の陰茎挿通用孔と、前記陰茎挿通用孔の周りに配設され、前記複数のテープ（２０）の巻き残し部分が挿通される複数のテープ案内用通路（３１）とを備えたリング体（３０）と
を有し、
未使用状態において、
前記コンドーム本体（１０）の陰茎挿入口が、前記リング体（３０）の前記陰茎挿通用孔の内側の中央部に位置するとともに前記陰茎挿通用孔の陰茎挿入口と同一の方向に開口しており、かつ、前記蓋部（４０）が、前記陰茎挿通用孔の陰茎挿入口に対して反対側の口を塞いでいる、
コンドーム。
【請求項２】
前記テープ（２０）は、その両方の端が前記蓋部（４０）に固着された状態で前記コンドーム本体（１０）と一体に巻き上げられており、前記両方の端に対応する２本の巻き残し部分の一方が前記リング体（３０）の前記テープ案内用通路（３１）に通されている、
請求項１に記載のコンドーム。
【請求項３】
前記蓋部が
前記リング体（３０）の内径より大きい、又は、
前記リング体（３０）の内径より大きく外径より小さい、
請求項１又は２に記載のコンドーム。
【請求項４】
前記リング体（３０）に形成される前記テープ案内用通路（３１）は、
前記リング体（３０）の径方向に対して垂直な方向であって前記陰茎挿通用孔の陰茎挿入口と反対の方向に開口した第１開口部（Ｈ１）と、
前記リング体（３０）の中心に向かって開口した第２開口部（Ｈ２）と、
を有する、
請求項３に記載のコンドーム。
【請求項５】
前記リング体（３０）は、その内縁に前記陰茎挿通用孔の中心に向かって傾斜する面を有し、
前記蓋部（４０）は、その外縁が前記リング体（３０）の内縁の前記傾斜面に当接する、
請求項３に記載のコンドーム。
【請求項６】
前記リング体（３０）は、その内縁において前記蓋部（４０）と嵌合する溝（３２）を有する、
請求項３に記載のコンドーム。
【請求項７】
前記複数のテープ案内用通路（３１）は、
その両端の開口部の一方から他方に渡って形成され、前記リング体（３０）の内縁において当該内縁より内側に向かって開いており、前記テープ（２０）の出し入れが可能なスリット（Ｓ１）をそれぞれ有する、
又は、
前記両端の開口部の一方から他方に渡って形成され、前記リング体（３０）の外縁において当該外縁より外側に向かって開いており、前記テープ（２０）の出し入れが可能なスリット（Ｓ１）をそれぞれ有する、
請求項３乃至６の何れか一項に記載のコンドーム。
【請求項８】
前記蓋部（４０）は、前記コンドーム本体（１０）と当接する面に対して反対側の面に凹凸部を有する、及び／又は、当該反対側の面に蛍光物質を含んだ領域を有する、
請求項１乃至７の何れか一項に記載のコンドーム。
【請求項９】
未使用状態において、前記蓋部（４０）と前記リング体（３０）とが分離可能に接着又は固定されている、
請求項１乃至８の何れか一項に記載のコンドーム。
【請求項１０】
前記蓋部（４０）は、弾性を有する材料を用いて形成される、
請求項１乃至９の何れか一項に記載のコンドーム。
【請求項１１】
３つの前記テープ（２０）と、
前記陰茎挿通用孔を囲む前記リング体（３０）の周上において等間隔に配設された３つの前記テープ案内用通路（３１）とを有する、
請求項１乃至１０の何れか一項に記載のコンドーム。
【手続補正２】
【補正対象書類名】明細書
【補正対象項目名】０００６
【補正方法】変更
【補正の内容】
【０００６】
本発明に係るコンドームは、コンドーム本体（１０）と、前記コンドーム本体（１０）の外面に沿わせた状態で前記コンドーム本体（１０）と一体に巻き上げられた複数のテープ（２０）と、巻き上げられた前記コンドーム本体（１０）の陰茎挿入口の反対側において前記コンドーム本体（１０）の先端と密着する面を有し、前記複数のテープ（２０）の巻き残し部分の端が固着された蓋部（４０）と、巻き上げられた前記コンドーム本体（１０）の陰茎挿入口へ陰茎を挿入する時に当該陰茎が挿通される中心部の陰茎挿通用孔と、前記陰茎挿通用孔の周りに配設され、前記複数のテープ（２０）の巻き残し部分が挿通される複数のテープ案内用通路（３１）とを備えたリング体（３０）とを有し、未使用状態において、前記コンドーム本体（１０）の陰茎挿入口が、前記リング体（３０）の前記陰茎挿通用孔の内側の中央部に位置するとともに前記陰茎挿通用孔の陰茎挿入口と同一の方向に開口しており、かつ、前記蓋部（４０）が、前記陰茎挿通用孔の陰茎挿入口に対して反対側の口を塞いでいる。
【手続補正３】
【補正対象書類名】明細書
【補正対象項目名】０００７
【補正方法】変更
【補正の内容】
【０００７】
好適に、前記テープ（２０）は、その両方の端が前記蓋部（４０）に固着された状態で前記コンドーム本体（１０）と一体に巻き上げられており、前記両方の端に対応する２本の巻き残し部分の一方が前記リング体（３０）の前記テープ案内用通路（３１）に通されている。
【手続補正４】
【補正対象書類名】明細書
【補正対象項目名】０００８
【補正方法】変更
【補正の内容】
【０００８】
好適に、前記蓋部が前記リング体（３０）の内径より大きい、又は、前記リング体（３０）の内径より大きく外径より小さい。
【手続補正５】
【補正対象書類名】明細書
【補正対象項目名】０００９
【補正方法】変更
【補正の内容】
【０００９】
好適に、前記リング体（３０）に形成される前記テープ案内用通路（３１）は、前記リング体（３０）の径方向に対して垂直な方向であって前記陰茎挿通用孔の陰茎挿入口と反対の方向に開口した第１開口部（Ｈ１）と、前記リング体（３０）の中心に向かって開口した第２開口部（Ｈ２）とを有する。
【手続補正６】
【補正対象書類名】明細書
【補正対象項目名】００１０
【補正方法】変更
【補正の内容】
【００１０】
好適に、前記リング体（３０）は、その内縁に前記陰茎挿通用孔の中心に向かって傾斜する面を有し、前記蓋部（４０）は、その外縁が前記リング体（３０）の内縁の前記傾斜面に当接する。
【手続補正７】
【補正対象書類名】明細書
【補正対象項目名】００１１
【補正方法】変更
【補正の内容】
【００１１】
好適に、前記リング体（３０）は、その内縁において前記蓋部（４０）と嵌合する溝（３２）を有する。
【手続補正８】
【補正対象書類名】明細書
【補正対象項目名】００１２
【補正方法】変更
【補正の内容】
【００１２】
好適に、前記複数のテープ案内用通路（３１）は、その両端の開口部の一方から他方に渡って形成され、前記リング体（３０）の内縁において当該内縁より内側に向かって開いており、前記テープ（２０）の出し入れが可能なスリット（Ｓ１）をそれぞれ有する、又は、前記両端の開口部の一方から他方に渡って形成され、前記リング体（３０）の外縁において当該外縁より外側に向かって開いており、前記テープ（２０）の出し入れが可能なスリット（Ｓ１）をそれぞれ有する。
【手続補正９】
【補正対象書類名】明細書
【補正対象項目名】００１３
【補正方法】変更
【補正の内容】
【００１３】
好適に、前記蓋部（４０）は、前記コンドーム本体（１０）と当接する面に対して反対側の面に凹凸部を有する、及び／又は、当該反対側の面に蛍光物質を含んだ領域を有する。
【手続補正１０】
【補正対象書類名】明細書
【補正対象項目名】００１４
【補正方法】変更
【補正の内容】
【００１４】
好適に、未使用状態において、前記蓋部（４０）と前記リング体（３０）とが分離可能に接着又は固定されている。
好適に、前記蓋部（４０）は、弾性を有する材料を用いて形成される。
好適に、上記コンドームは、３つの前記テープ（２０）と、前記陰茎挿通用孔を囲む前記リング体（３０）の周上において等間隔に配設された３つの前記テープ案内用通路（３１）とを有する。